(57)【特許請求の範囲】
【請求項１】
床面または天井面からなる第１の面と、壁面との交差部に沿って配設され、長手方向に沿う凹溝を有した造作部材の端面を覆い隠すエンドキャップであって、
前記壁面に対面配置される壁面側面部と、前記造作部材の端面に対面配置される端面側面部と、これらに連なるように設けられた表面側面部とを備え、
前記端面側面部には、該端面側面部が前記端面に対面配置された際に、前記造作部材の端部表面を覆う突片部が表面側縁部に沿って設けられ、かつ、前記凹溝に収まる膨出部が前記突片部における該凹溝に対応する部位に連成されている一方、
前記表面側面部は、略平滑な形状とされていることを特徴とするエンドキャップ。
【請求項２】
請求項１において、
前記第１の面に対面配置される第１面側面に開口した中空部を上下に沿って有していることを特徴とするエンドキャップ。
【請求項３】
請求項１または２において、
前記壁面側面部と、前記端面側面部とは、互いに線対称な形状とされていることを特徴とするエンドキャップ。
【発明の詳細な説明】
【技術分野】
【０００１】
本発明は、床面または天井面からなる第１の面と、壁面との交差部に沿って配設され、長手方向に沿う凹溝を有した造作部材の端面を覆い隠すエンドキャップに関する。
【背景技術】
【０００２】
上記のような造作部材としては、住宅等の建物の壁面と床面との交差部に沿って配設される幅木や、壁面と天井面との交差部に沿って配設される廻り縁などが知られている。
下記特許文献１では、壁面のコーナー部分（出隅部）に向けて、それぞれ配設された幅木に、コーナー部分において連設されるコーナー用造作部材が提案されている。
【０００３】
上記コーナー用造作部材は、一方の木口（端面）を表面に対して直角を成すように加工し、この木口の表面角部を面取り加工してアールに成形し、他方の木口を表面に対して直角を成すように加工し、この木口には面取り加工を施さない形状としている。
このコーナー用造作部材は、面取り加工した木口を壁面のコーナー部分における一方の壁面から突出させるように取付け、この突出した部位の裏面に、コーナー部分に向けて配設された一方の幅木の木口を突き合わせ、さらに、他方の面取り加工が施されていない木口と、コーナー部分に向けて配設された他方の幅木の木口とを突き合わせて、両幅木のコーナー側の端部を納める構造とされている。
【先行技術文献】
【特許文献】
【０００４】
【特許文献１】特開２０００−２４０２７２号公報（図１参照）
【発明の概要】
【発明が解決しようとする課題】
【０００５】
しかしながら、上記特許文献１に記載されたコーナー用造作部材では、コーナー部分に向けて配設される各幅木や当該コーナー用造作部材に加工誤差等があったり、施工時に位置ズレ等が生じたりした場合には、これら各幅木の木口と、この木口に突き合わせられる当該コーナー用造作部材の上記突出部位の裏面や上記他方の木口との間に、隙間等が生じる恐れがあり、見栄えが悪くなるという問題があった。
【０００６】
本発明は、上記実情に鑑みなされたものであり、造作部材の端部を見栄え良く納め得るエンドキャップを提供することを目的としている。
【課題を解決するための手段】
【０００７】
前記目的を達成するために、本発明に係るエンドキャップは、床面または天井面からなる第１の面と、壁面との交差部に沿って配設され、長手方向に沿う凹溝を有した造作部材の端面を覆い隠すエンドキャップであって、前記壁面に対面配置される壁面側面部と、前記造作部材の端面に対面配置される端面側面部と、これらに連なるように設けられた表面側面部とを備え、前記端面側面部には、該端面側面部が前記端面に対面配置された際に、前記造作部材の端部表面を覆う突片部が表面側縁部に沿って設けられ、かつ、前記凹溝に収まる膨出部が前記突片部における該凹溝に対応する部位に連成されている一方、前記表面側面部は、略平滑な形状とされていることを特徴とする。
【０００８】
このような構成とすることで、造作部材の端部表面を突片部によって覆うことができ、造作部材の端部を見栄え良く納めることができる。また、このような突片部を設けることで、造作部材に僅かな加工誤差や施工時の位置ズレ等があった場合にも、この突片部によりそれらを吸収することもでき、施工性を向上させることができる。
また、造作部材の表面には、長手方向に沿う凹溝が形成されているが、上記突片部における凹溝に対応する部位には、この凹溝に収まる膨出部が連成されているので、造作部材の端部表面を覆うカバー部として機能する突片部と凹溝との間に大きな隙間が形成されず、側部側からの見栄えを向上させることができる。
さらに、当該エンドキャップの表面側面部を、略平滑な形状としているので、当該エンドキャップの表面側がすっきりとした外観となり、見栄えが良い。
【０００９】
本発明においては、前記第１の面に対面配置される第１面側面に開口した中空部を上下に沿って有しているものとしてもよい。
このような構成とすれば、材料を削減できるとともに、軽量化を図ることができる。
また、壁面または造作部材の端面に対面配置される背面側の面（壁面側面部または端面側面部）に、開口を上下の略全体に亘って設けて中空部を形成するようなものと比べて、当該エンドキャップ自体の強度を高めることができるとともに、壁面または造作部材の端面への取付け強度を向上させることができる。
【００１０】
また、本発明においては、前記壁面側面部と、前記端面側面部とを、互いに線対称な形状としてもよい。
このような構成とすれば、造作部材の両端部のそれぞれの端面を、同一のエンドキャップで覆い隠すことができる。従って、部材点数を増加させることなく、同一部材を造作部材の両端面用として兼用できるので、取扱い性が良く、施工性をより向上させることができる。
また、造作部材の端部を、一方の背面側の面における表面側縁部に設けられた突片部及び膨出部によって、見栄え良く納めることができるとともに、他方の背面側の面における表面側縁部に設けられた突片部が、当該エンドキャップに接着剤を塗布して壁面に対して接着する際に、接着剤の堰として機能し、接着剤が漏れ出るようなことを防止できる。
【発明の効果】
【００１１】
本発明に係るエンドキャップは、上述のような構成としたことで、造作部材の端部を見栄え良く納めることができる。
【図面の簡単な説明】
【００１２】
【図１】（ａ）〜（ｃ）は、いずれも本発明の一実施形態に係るエンドキャップを模式的に示し、（ａ）は、同エンドキャップを造作部材の端面に取り付けた状態の一例を示す一部破断概略斜視図、（ｂ）は、同エンドキャップを背面側から見た概略斜視図、（ｃ）は、同エンドキャップの概略底面図である。
【図２】（ａ）は、図１（ａ）におけるＸ方向から見た状態を示す概略正面図、（ｂ）は、（ａ）におけるＹ−Ｙ線矢視に対応させた概略縦断面図である。
【図３】（ａ）、（ｂ）は、いずれも同エンドキャップの背面側の概略側面図、（ｃ）は、同エンドキャップの施工手順の一例を説明するための説明図であり、図２（ａ）に対応させた図である。
【図４】（ａ）は、図２（ａ）におけるＺ１−Ｚ１線矢視に対応させた概略横断面図、（ｂ）は、図２（ａ）におけるＺ２−Ｚ２線矢視に対応させた概略横断面図、（ｃ）は、図２（ａ）におけるＺ３−Ｚ３線矢視に対応させた概略横断面図、（ｄ）は、同エンドキャップを造作部材の端面に取り付けた状態の他例を説明するための説明図であり、（ａ）に対応させた図である。
【発明を実施するための形態】
【００１３】
以下に本発明の実施の形態について、図面に基づいて説明する。
図１〜図４は、本実施形態に係るエンドキャップについて説明するための説明図である。
本実施形態に係るエンドキャップ１０は、図１（ａ）及び図２に示すように、床面（第１の面）１と壁面２との交差部に沿って配設された幅木６の長手方向の一端部に取り付けられて、該端部の端面９（図３（ｃ）及び図４参照）を覆い隠す構造とされている。
【００１４】
本実施形態では、幅木６を、床面１と、壁面２としての壁材３の表面３ａ及びこの表面３ａに略面一状に連設された開口縦枠４の見付け面４ａとの交差部に沿って、開口部５側に向けて配設した例を示している。
この幅木６は、表面側部位における中央部位よりもやや上方部位に、凹溝７を長手方向に沿って有している。また、この幅木６の水平状の上面の手前側（反壁面側）の縁部には、床面１側に向けて傾斜する傾斜面８が形成されている。
この幅木６は、例えば、木質系材料や合成樹脂系材料、金属系材料等から帯状に比較的長尺に形成されている。
【００１５】
エンドキャップ１０は、図１（ｂ）、（ｃ）に示すように、平面視（底面視）における外郭形状が略四半円状の扇形状とされ、上下に細長形状とされており、その底面には、配設された状態で床面１に向けて開口する底面開口１８が設けられている。このエンドキャップ１０は、壁面２に対面配置される壁面側端面部（第１背面側面部１３または第２背面側面部１５）と、幅木６の端面９に対面配置される端面側面部（第２背面側面部１５または第１背面側面部１３）と、これらに連なるように設けられた表面側面部１１とを備えている。
表面側面部１１は、上下方向に沿ってストレート状の略平滑な形状とされており、平面視（底面視）して、上記扇形状の円弧部に相当する突湾曲状のＲ面形状とされている。
この表面側面部１１の上部側には、上端部１２が連成されている。
この上端部１２は、幅木６の傾斜面８に連なるように対応させた形状とされた略四半円錐台表面形状の傾斜面と、この傾斜面に連成されるとともに、幅木６の水平状の上面に連なるように、かつ平面視して上記扇形状とされた外郭形状と略同心で、これよりも小径の扇形状とされた上端面とを有している。
尚、上記のようにＲ面形状とされた表面側面部１１の曲率半径は、幅木６の厚さに応じて適宜、設定される。
【００１６】
上記壁面側面部及び上記端面側面部をそれぞれ構成する第１背面側面部１３と、第２背面側面部１５とは、本実施形態では、図１（ｂ）及び図３（ａ）、（ｂ）に示すように、いずれも幅木６の端面９に対応させた形状とされており、互いに直交している。これら第１背面側面部１３と第２背面側面部１５とは、この直交線を対称軸として、後記する背面開口１７を除いて、互いに線対称な形状とされている。
換言すれば、これら第１背面側面部１３と第２背面側面部１５とは、図３（ａ）、（ｂ）において示すそれぞれの状態を、左右反転させた状態が、他方の背面側面部と略同形状とされている。
このような構成とされたエンドキャップ１０は、本実施形態では、後記するように、幅木６の長手方向両端部のいずれにも取り付け可能な左右兼用とされている。
【００１７】
また、これら第１背面側面部１３及び第２背面側面部１５のそれぞれの表面側縁部には、幅木６の端面９が対面配置された状態で、幅木６の端部表面６ａ（図３（ｃ）及び図４参照）を覆う突片部１４，１６（第１突片部１４、第２突片部１６）が、上記した上端部１２に相当する部位を含み、当該エンドキャップ１０の上下の全体に亘って設けられている。
これら各突片部１４，１６は、それぞれが設けられた側の背面側面部が幅木６の端面９に対面配置された状態で、それぞれの背面側面部の平面部から、一方が幅木６の長手方向に向けて突出し、他方が壁面２に向けて突出する構成とされている。
【００１８】
また、これら第１突片部１４及び第２突片部１６には、図１（ｂ）に示すように、それぞれが設けられた第１背面側面部１３及び第２背面側面部１５が幅木６の端面９に対面配置された状態で、その凹溝７に収まる膨出部１４ａ，１６ａ（第１膨出部１４ａ、第２膨出部１６ａ）が、幅木６の凹溝７に対応する部位にそれぞれ連成されている。
これら第１膨出部１４ａ及び第２膨出部１６ａは、それぞれが設けられた第１背面側面部１３及び第２背面側面部１５の平面部に沿って、各突片部１４，１６の内周縁から上記直交線に向けて膨出するように設けられている（図３（ａ）、（ｂ）参照）。また、これら第１膨出部１４ａ及び第２膨出部１６ａは、図２（ｂ）に示すように、幅木６の凹溝７に収まるように、凹溝７の幅寸法（上下方向の幅寸法）及び深さ寸法に応じた形状とされている。
【００１９】
図例では、各膨出部１４ａ，１６ａは、幅木６の凹溝７にスムーズに収められるよう、図２（ｂ）及び図３（ａ）、（ｂ）に示すように、取り付けられた状態において凹溝７の溝底に向けて漸減先細り状のテーパ形状とされ、かつ、溝底両入隅部に対応する両出隅部がＲ形状とされている。
尚、図例では、幅木６の凹溝７を断面略方形状のものとし、各膨出部１４ａ，１６ａをそれに対応させて、それぞれを背面側から見た状態（図３（ａ）、（ｂ）に示す状態）で、略方形状の形状としているが、これら各膨出部１４ａ，１６ａの形状は、幅木６の凹溝７に対応させた形状とすればよい。
【００２０】
上記のように、第１突片部１４及び第２突片部１６が設けられた第１背面側面部１３及び第２背面側面部１５は、幅木６の端面９が対面配置された際に、図４（ａ）〜（ｃ）に示すように、対面配置された側の突片部（図例では第２背面側面部１５の第２突片部１６）の内周縁が、その膨出部（図例では、第２膨出部１６ａ）を含んで幅木６の表面形状に沿うように形成されている。
また、図４（ａ）〜（ｃ）に示すように、端面９に対面配置された側の背面側面部（図例では第２背面側面部１５）における壁面２側の縁部（稜線）が、幅木６の端面９における壁面２側の縁部（稜線）よりも、他方の突片部（図例では第１背面側面部１３の第１突片部１４）の突出幅に応じて、手前側（反壁面側）に位置するような形状とされている。
【００２１】
これら突片部１４，１６の突出幅は、幅木６の端部表面６ａを覆うことが可能な程度で、かつ、後記するように、壁面２に固着される際に、固着性を阻害しない程度の突出幅とすることが好ましい。つまり、突出幅を大きくすれば、一方の突片部によって、幅木６の端部表面６ａを十分に覆うことができるが、壁面２に対面配置された側では、他方の突片部が壁面２に当接し、その側の背面側面部の平面部と壁面２との間に大きな空間が生じてしまい、また、幅木６の端面９に対面配置された側では、その平面部と端面９との対面する面積が小さくなり、固着性が阻害される傾向がある。従って、これら突片部１４，１６の各背面側面部１３，１５の平面部からの突出幅は、一般的な幅木を接着剤にて固着させる場合においては、例えば、０．５ｍｍ〜３．０ｍｍ程度としてもよい。尚、本実施形態では、上記したように、当該エンドキャップ１０を、左右兼用として利用できるものとしているが、左右兼用ではなく、いずれか側専用のものとする場合は、この限りではない。
【００２２】
また、これら第１背面側面部１３及び第２背面側面部１５のうちのいずれか一方（図例では、第１背面側面部１３）には、配設された状態で、幅木６の端面９または壁面２に向けて開口する背面開口１７がさらに設けられている。
この背面開口１７は、第１背面側面部１３における平面部の上側部位に設けられており、本実施形態では、図３（ｂ）に示すように、上記した第１突片部１４の内周縁との間に、配設された際に、幅木６の端面９または壁面２と対面する対面代１３ａが設けられるように形成されている。つまり、背面開口１７の第１突片部１４側の開口縁と、第１突片部１４の内周縁との間に、これら開口縁及び内周縁に沿うようにして略同幅の対面代１３ａを設けるようにしている。このような対面代１３ａを設けることで、後記するように、当該エンドキャップ１０を配設する際に、対面代１３ａを、幅木６の端面９、または壁面２に対して当該第１背面側面１３を接着する際の接着代として利用でき、当該エンドキャップ１０の取付け強度を向上させることができる。
【００２３】
さらに、エンドキャップ１０は、この背面開口１７と、上記した底面開口１８とを連通させた中空部１９を有している。
この中空部１９は、当該エンドキャップ１０の上下の略全体に亘って形成されており、図４（ａ）〜（ｃ）に示すように、横断面形状がその上下の略全体に亘って略同心同形状の扇形状とされている。
本実施形態では、各背面側部の厚さを略同厚さとし、表面側部における厚さを、上記した対面代１３ａに対応させて、各背面側部の厚さよりも大きく形成しているが、これらの厚さを同厚さとなるようにしてもよい。
また、背面開口１７と突片部１４との間に対面代１３ａを設けた例について説明したが、このような対面代１３ａを設けない態様、すなわち、背面開口の突片部側開口縁と突片部の内周縁とを略合致させたような態様としてもよい。
また、背面開口１７を設けずに、底面開口１８のみを設けて中空部１９を形成するようにしてもよい。
【００２４】
上記構成とされたエンドキャップ１０は、例えば、ＡＢＳ（アクリロニトリルブタジエンスチレン）や、ポリプロピレン、ポリエチレン、ポリエチレンテレフタレート、ポリカーボネート、ＰＰＳ（ポリフェニレンサルファイド）等の合成樹脂系材料を主材とした材料から射出成形によって、一体的に成形されている。このように射出成形によって成形する場合には、上記した背面開口１７及び底面開口１８を利用して型抜きを実施することができ、容易かつ効率的に上記した中空部１９を有した当該エンドキャップ１０を成形することができる。
【００２５】
尚、当該エンドキャップ１０を、幅木６の模様に合わせた色調のものとしたり、または、表面に塗装等を施したりするようにしてもよい。
また、上記のような合成樹脂系材料に、木粉や無機フィラー、相溶化剤、着色剤などを所定の含有割合で含有させた木粉・プラスチック複合材（ＷＰＣ）から成形するようにしてもよい。
さらに、上記のような合成樹脂製に限られず、アルミニウムやステンレス等の金属材料から鋳造や切削加工等によって一体的に成形した金属製のものとしてもよい。
【００２６】
次に、上記構成とされたエンドキャップ１０を用いた幅木６の一端部の納め構造の一例、及びその施工手順の一例について説明する。
まず、図３（ｃ）に示すように、幅木６を開口部５側に向けて設置して壁面２に対して固定し、この幅木６の開口部５側端部の端面９に、図４（ａ）〜（ｃ）に示すように、エンドキャップ１０の一方の背面側面部（図例では、第２背面側面部１５）を当接させるようにして取り付ける。この際、上記した対面代１３ａを含み、各背面側面部１３，１５に接着剤を塗布し、壁面２（図例では、開口縦枠４の見付け面４ａ）及び幅木６の端面９に対して固着させるようにしてもよい。尚、このように接着剤を用いて固着させる態様に代えて、または加えて、例えば、粘着材としての両面テープを背面側面部１３，１５のうちの少なくとも一方に設け、該両面テープによって固着させる態様としてもよい。
【００２７】
または、上記のように、当該エンドキャップ１０及び幅木６を固定する前に、図１（ａ）及び図４（ａ）〜（ｃ）に示すように、壁面２における開口部５側の隅角部（図例では、開口縦枠４の見付け面４ａと開口側側面（見込み面）４ｂとが交差する角部）４ｃに、エンドキャップ１０の一方の突片部（図例では、第１突片部１４）における表面側角部が沿うように、当該エンドキャップ１０及び幅木６を位置決めした後、各部材を固定するようにしてもよい。換言すれば、エンドキャップ１０の第１突片部１４の表面と開口側側面４ｂとが略面一状となるようにこれら各部材を仮に位置決めした後、各部材を固定するようにしてもよい。
これにより、当該エンドキャップ１０の表面側面部１１と開口側側面４ｂとが連なるような沿面となり、見栄え良く幅木６の端部を納めることができる。
また、この例のように、壁材３の表面３ａと、開口縦枠４の見付け面４ａとを略面一状に連設し、幅木６の一端部を、エンドキャップ１０を用いて納める構造としているので、従来のように、開口縦枠の見込み方向の端部（またはケーシング額縁）を壁材の表面から突出させ、該突出させた部位（ちり部）に幅木の端面を当接させて納める構造とした場合と比べて、すっきりとした外観となり、全体として美観性を向上させることができる。
【００２８】
尚、幅木６の壁面２への固定は、釘（かくし釘）や木ねじ等の固定止具を、長手方向の適所に、打ち込み（または捻じ込み）、壁面２へ固定するようにしてもよい。この際、幅木６の凹溝７に固定止具を打ち込むようにすれば、固定止具の頭部が目立たず、見栄え良く施工することができる。このような固定止具に代えて、接着剤を用いて固定するようにしてもよく、または、上記固定止具と接着剤とを併用するようにしてもよい。
また、壁面２を構成する壁材３の表面３ａは、例えば、石膏ボードや合板等の下地ボード等の下地材表面３ａ、またはこれらの下地材表面に壁クロスや壁紙等が貼着された壁仕上げ面３ａ等とされ、このような壁材３の裏面側には、上記固定止具が打ち込まれる（または捻じ込まれる）胴縁や柱等が配設されている。
【００２９】
さらに、上記納め構造の一例では、上記したように、壁材３の表面３ａと開口縦枠４の見付け面４ａとを一連の壁面２として把握して、エンドキャップ１０を出隅部（隅角部４ｃ）に沿わせるようにして開口縦枠４の見付け面４ａに固着させた態様としているが、例えば、壁面２の途中部位に一端部が位置するように幅木６を配設し、壁材３の表面３ａにエンドキャップ１０が位置するようにして、幅木６の端部を納める構造としてもよい。
または、上記納め構造の一例では、開口部５に、開口縦枠４を取り付けた例を示しているが、このような開口縦枠４を設けずに、壁面２が他の壁面等と交差する出隅部に沿うように、エンドキャップ１０を設けるような態様としてもよい。
【００３０】
以上のように、エンドキャップ１０を幅木６の一端部に取り付けた状態では、図１（ａ）及び図２（ａ）に示すように、幅木６の一端部の端面９及び端部表面６ａ（図３（ｃ）及び図４参照）が覆い隠され、その一端部を見栄え良く納めることができる。
また、上記のように、突片部１４，１６を設けることで、幅木６に僅かな加工誤差や施工時の位置ズレ等があった場合にも、これら突片部１４，１６によりそれらを吸収することもでき、施工性を向上させることができる。
さらに、このような突片部１４，１６を背面側面部１３，１５のそれぞれに設けることで、一方の突片部が、幅木６の端部表面６ａのカバー部として機能し、他方の突片部が、当該エンドキャップ１０に接着剤を塗布して壁面２に対して接着する際に、接着剤の堰として機能して接着剤が漏れ出るようなことを防止できる。従って、幅木６の一端部をより見栄え良く納めることができ、また、施工性をより向上させることができる。
【００３１】
さらにまた、幅木６の表面には、長手方向に沿う凹溝７が形成されているが、これら突片部１４，１６における凹溝７に対応する部位には、この凹溝７に収まる膨出部１４ａ，１６ａが連成されているので、幅木６の端部表面６ａを覆うカバー部として機能する突片部１４，１６と凹溝７との間に大きな隙間が形成されず、側部側からの見栄えを向上させることができる。
また、当該エンドキャップ１０の表面側面部１１を、略平滑な形状としているので、当該エンドキャップ１０の表面側がすっきりとした外観となり、見栄えが良い。
【００３２】
さらに、本実施形態では、背面開口１７と底面開口１８とを連通させた中空部１９を有しているので、材料を削減できるとともに、当該エンドキャップ１０の軽量化が図れる。
さらにまた、背面開口１７は、第１背面側面部１３の上側部位に設けるようにしているので、例えば、この背面開口を背面側面部の上下の全体に亘って設けて中空部を形成するようなものに比べて、当該エンドキャップ１０自体の強度を高めることができる。また、このように、背面開口１７を上下の全体に亘って設けずに、上側部位に設けるようにしているので、第１背面側面部１３における当該背面開口１７以外の平面部を接着面として利用でき、背面開口を上下の全体に亘って設けて中空部を形成するようなものに比べて、取付け強度を向上させることができる。
【００３３】
また、本実施形態では、壁面側面部及び端面側面部を構成する第１背面側面部１３と第２背面側面部１５とを、それぞれ幅木６の端面９に対応させた形状とし、互いに線対称な形状としている。
上記した例では、各図における幅木６の紙面左方側の端部（幅木６に対面した状態における左側端部）に取り付けた場合について説明したが、図４（ｄ）に示すように、幅木６の右側端部にも、当該エンドキャップ１０を平面視において９０度回転させれば取り付けることができる。すなわち、幅木６の左右端部のそれぞれの端面を、同一のエンドキャップ１０で覆い隠すことができる。従って、部材点数を増加させることなく、同一部材を幅木６の両端面用として兼用（左右兼用）できるので、取扱い性が良く、施工性をより向上させることができる。
【００３４】
尚、本実施形態では、中空部を上下に沿って有したものを例示しているが、このような中空部を設けない態様としてもよい。
また、本実施形態では、各背面側面部のそれぞれを、上述のように左右兼用可能な形状とした例について説明したが、いずれか一方の背面側面部のみ、すなわち、端面側面部のみを幅木の端面に対応させた形状としてもよい。この場合は、幅木の端面に対面配置される端面側面部のみに膨出部を連成した突片部を設けるようにしてもよく、他方の壁面側面部には、膨出部を有さない突片部を設けるようにしてもよい。
また、この場合は、例えば、当該エンドキャップの正面視における幅寸法（幅木の長手方向に沿う寸法）を幅木の厚さよりも幅広となるように形成するような態様としてもよい。
このような態様としても、上記のように左右兼用として利用できない以外は同様の効果を奏する。また、このような態様とした場合には、例えば、幅木の端面に対面配置される端面側面部の突片部の突出幅を比較的、大きく形成し、壁面に対面配置される壁面側面部の突片部の突出幅を上記同様のものとしてもよい。
【００３５】
さらに、本実施形態では、エンドキャップの平面視における形状を略四半円状の扇形状とし、表面側面部を平面視してＲ面形状とした例について説明したが、例えば、表面側面部をＣ面形状（当該エンドキャップの平面視における形状が略三角形状）としたり、多面形状（当該エンドキャップの平面視における扇形状の弧部に相当する部位の形状が多面形状）としたりしてもよい。このようなものでも、表面側面部は、上下に沿ってストレート状の略平滑な形状となり、すっきりとした外観となる。
また、この場合は、上記した中空部の横断面形状を、これらの形状に合わせるようにしてもよい。また、上述のように、いずれか一方の背面側面部のみを幅木の端面に対応させた形状とし、幅寸法を大きく形成した場合には、表面側面部における幅方向（幅木の長手方向と同方向）の一端部（端面側面部とは異なる側の端部）を上記のような各面取り状（Ｒ面、Ｃ面、多面形状など）の形状にしてもよい。
また、本実施形態では、傾斜面を有した幅木の形状に対応させて、上端部に傾斜面を有したエンドキャップについて説明したが、幅木の上部の表面形状に対応させた形状とすればよい。
【００３６】
また、本実施形態では、長手方向に沿って一本の凹溝を有した幅木に対応させて、エンドキャップの各背面側面部の一箇所にそれぞれ膨出部を設けた例について説明したが、例えば、複数条の凹溝を有した幅木に対応させて、各背面側面部のそれぞれに複数の膨出部を有したエンドキャップとしてもよい。また、このような複数条の凹溝を有した幅木に限られず、上端部に複数の突湾曲部を有したような幅木とし、上端部をこの形状に対応させた形状のエンドキャップとしてもよい。
【００３７】
尚、上記した各例では、造作部材を、床面と壁面との交差部に沿って配設される幅木とし、その端部にエンドキャップを取り付ける例について説明したが、造作部材を、天井面（第１の面）と壁面との交差部に沿って配設される廻り縁とし、この廻り縁の端部に本発明に係るエンドキャップを取り付けるようにしてもよい。この場合は、以上で説明した上下の方向を逆転させて把握し、上記した当該エンドキャップの底面を天面として把握することで、本発明に係るエンドキャップの適用が可能である。
【符号の説明】
【００３８】
１          床面（第１の面）
２          壁面
３ａ        壁材の表面（壁面）
４ａ        開口縦枠の見付け面（壁面）
６          幅木（造作部材）
６ａ        幅木の端部表面
７          凹溝
９          幅木の端面
１０        エンドキャップ
１１        表面側面部
１３        第１背面側面部（壁面側面部または端面側面部）
１４        第１突片部
１４ａ      第１膨出部
１５        第２背面側面部（端面側面部または壁面側面部）
１６        第２突片部
１６ａ      第２膨出部
１８        底面開口（第１面側面の開口）
１９        中空部
【図１】
0005393378.tif 000002
【図２】
0005393378.tif 000003
【図３】
0005393378.tif 000004
【図４】
0005393378.tif 000005